(57)【要約】【課題】ハンドルリングの回転不良や傷つきを生じることなく、確実な自己保持動作を可能とした【解決手段】ハンドルリング１の指掛け用凸部１２の裏面凹所１２１内にゴム製のストッパ部材４を設ける。ストッパ部材４の斜面４ｃと裏面凹所１２１の内壁との間に押圧部材としてコイン５を挿入して、ストッパ部材４をハンドルベース２の開口縁外周２１に向けて変形移動させ、その接触凸部４２１の斜面４ａを所定圧で接触させる。【選択図】        図４
2004248939.tif 000002
【特許請求の範囲】
【請求項１】
付勢力に抗して回転操作されるハンドルリングと当該ハンドルリングを回転可能に支持する支持体とを備える遊技球発射装置のハンドル構造において、前記ハンドルリングないし支持体の一方に、前記ハンドルリングないし支持体の他方に向けて移動可能な部分を有するストッパ部材を配設するとともに、当該ストッパ部材を押圧して前記ハンドルリングないし支持体の他方に向けて移動させて当該他方に所定圧で接触させる押圧部材を、前記ストッパ部材の前記移動可能な部分に対し前記他方と反対側に受け入れ可能としたことを特徴とする遊技球発射装置のハンドル構造。
【請求項２】
前記ストッパ部材は弾性変形可能な材料により構成され、前記押圧部材によって押圧された時に前記ストッパ部材の一部分が変形して前記ハンドルリングないし支持体の他方に向けて移動させられてこれに接触する請求項１に記載の遊技球発射装置のハンドル構造。
【請求項３】
前記ストッパ部材は一端が前記ハンドルリングないし支持体の一方に固定され、前記一端から延びる他端が湾曲変形によって前記ハンドルリングないし支持体の他方に向けて移動させられてこれに接触する請求項１又は２に記載の遊技球発射装置のハンドル構造。
【請求項４】
前記ストッパ部材は前記ハンドルリングの外周に形成された指掛け用凸部の裏面凹所内に設置されており、前記ストッパ部材の移動可能な部分が前記押圧部材により移動させられて前記支持体を構成するハンドルベースの外周面に所定圧で接触させられる請求項１ないし３のいずれかに記載の遊技球発射装置のハンドル構造。
【発明の詳細な説明】
【０００１】
【発明の属する技術分野】
本発明は遊技球発射装置のハンドル構造に関し、特に、ハンドルリングを所定の回転位置で自己保持可能としたハンドル構造の改良に関する。
【０００２】
【従来の技術】
パチンコ機等の遊技機における遊技球発射装置では、回転操作できるハンドルリングを設けて当該ハンドルリングを遊技者が所望の回転位置へ操作することによって遊技球の打ち出し速度を調整できるようにしている。ところで、ハンドルリングは通常、バネ部材によって原位置へ戻り回動するように付勢されているため、遊技球の打ち出し速度を一定にすべくハンドルリングを所定の回転位置に保持するには、バネ付勢力に抗してハンドルリングを手で保持しておく必要があり、遊技者が疲労するという問題があった。そこで例えば特許文献１には、発射用ハンドル（ハンドルリング）とこれを回転可能に支持する把持部材（ハンドルカバー）ないし軸カバー（ハンドルベース）との間の隙間に円盤状の回動止め具を挿入して、ハンドルリングを所望の回転位置で自己保持させるものが示されている。
【特許文献１】実用新案登録第３０６４７３５号
【０００３】
【発明が解決しようとする課題】
しかし上記従来の構造では、ハンドルカバー等との隙間に回動止め具が挿入されることによってハンドルリングが強い力でこじられて回転不良や傷つきを生じるという問題がある上に、これを避けるために挿入力を加減するとハンドルリングを保持する確実性が損なわれるという問題があった。
【０００４】
そこで本発明はこのような課題を解決するもので、ハンドルリングの回転不良や傷つきを生じることなく、遊技者が手を離しても確実な自己保持動作を可能とした遊技球発射装置のハンドル構造を提供することを目的とする。
【０００５】
【課題を解決するための手段】
上記目的を達成するために、本第１発明では、付勢力に抗して回転操作されるハンドルリング（１）と当該ハンドルリング（１）を回転可能に支持する支持体（２，３）とを備える遊技球発射装置のハンドル構造において、ハンドルリング（１）ないし支持体（２，３）の一方に、ハンドルリング（１）ないし支持体（２，３）の他方に向けて移動可能な部分（４２）を有するストッパ部材（４）を配設するとともに、当該ストッパ部材（４）を押圧してハンドルリング（１）ないし支持体（２，３）の他方に向けて移動させて当該他方に所定圧で接触させる押圧部材（５）を、ストッパ部材（４）の移動可能な部分（４２）に対し上記他方と反対側に受け入れ可能としてある。ここで、「反対側」とは、ストッパ部材を挿入することによってストッパ部材の移動可能な部分を移動させることができる領域を意味する。
【０００６】
本第１発明において、ハンドルリングを適当な回転位置で保持しておきたい場合には、ハンドルリングないし支持体の一方に設けたストッパ部材の移動可能な部分に対しハンドルリングないし支持体の他方と反対側に押圧部材を押し込む。これによりストッパ部材が押圧されて上記他方に向けて移動させられ、当該他方に所定圧で接触して、ハンドルリングと支持体との間に接触による抵抗を生じさせる。この接触抵抗によって付勢力による戻し回転力が減殺される結果、遊技者が付勢力に抗する回転力を付与しなくてもハンドルリングは所定回転位置で自己保持される。本第１発明においては、ハンドルリングないし支持体の一方にストッパ部材を設けてその移動可能な部分を押圧部材で押圧移動させてハンドルリングないし支持体の他方に所定圧で接触させることによってハンドルリングを自己保持するようにしたから、ハンドルリングが強い力でこじられて回転不良や傷つきを生じることが避けられるとともにハンドルリング保持の確実性も保証される。
【０００７】
本第２発明では、上記ストッパ部材（４）は弾性変形可能な材料により構成され、押圧部材（５）によって押圧された時にストッパ部材（４）の一部分（４２）が変形してハンドルリング（１）ないし支持体（２，３）の他方に向けて移動させられてこれに接触するようになっている。本第２発明においては、ストッパ部材を弾性変形可能な材料で構成したから、押圧部材の挿入が容易であるとともに、ストッパ部材が適度に変形することによってハンドルリングの回転不良や傷つき等をより確実に防止することができる。
【０００８】
本第３発明では、上記ストッパ部材（４）は一端（４１）がハンドルリング（１）ないし支持体（２，３）の一方に固定され、一端（４１）から延びる他端（４２）が湾曲変形によってハンドルリング（１）ないし支持体（２，３）の他方に向けて移動させられてこれに接触するようになっている。本第３発明においては、ストッパ部材を湾曲変形させることによって容易に移動させることができる。
【０００９】
本第４発明では、上記ストッパ部材（４）はハンドルリング（１）の外周に形成された指掛け用凸部（１２）の裏面凹所（１２１）内に設置されており、ストッパ部材（４）の移動可能な部分（４２）が押圧部材（５）により移動させられて上記支持体を構成するハンドルベース（２）の外周面に所定圧で接触させられるようになっている。本第４発明においては、軽量化のために従来から形成されている指掛け用凸部の裏面凹所をストッパ部材の収納スペースとして利用しているから、ストッパ部材の収納空間を別途確保する必要がない。
【００１０】
【発明の実施の形態】
図１には遊技球発射装置のハンドルの一部断面側面図を示し、図２にはその一部断面裏面図を示す。ハンドルはハンドルリング１と、これを前後（図１の上下）から挟持する支持体としてのハンドルベース２およびハンドルカバー３とから構成されている。ハンドルベース２は前方（図１の上方）へ開放する円形容器状をなし、その底部が遊技機の前板等に固定される。
【００１１】
ハンドルカバー３は後方（図１の下方）へ開放する円形容器状をなし、ハンドルベース２と一定間隔を保って公知の構造でハンドルベース２に結合されている。ハンドルリング１は円盤体で、ハンドルベース２とハンドルカバー３の間に位置させられ、ハンドルリング１の回転部中心に突出形成された筒状ボス部１６が前後から、ハンドルベース２とハンドルカバー３にそれぞれ形成された図略の軸受け部によって回転自在に支持されている。ハンドルリング１の外周縁はハンドルベース２とハンドルカバー３の間の間隙を塞ぐような幅広のフランジ部１１となって、ハンドルの連続する外周面を形成している。そして、上記フランジ部１１の外周には周方向の三ヶ所に、ハンドルリング１を回転操作する際に遊技者が指を掛けるための略三角形の指掛け用凸部１２，１３，１４が形成されている。各指掛け用凸部１２〜１４は軽量化等のために裏面側をその外周縁を除いて凹陥させてあるが、親指を掛けるための最も大きな指掛け用凸部１２の裏面凹所１２１内にストッパ部材４が設置されている。
【００１２】
ストッパ部材４は本実施形態では、図３に示すように、上記裏面凹所１２１のコーナ部に沿った略三角形のゴム体で、底部４１中央に固定用ビスを挿通するための円形取付穴４１１が設けられている。取付穴４１１の周囲は一定深さで座ぐりを設けてある。ストッパ部材４は略中央から底部４１の一方の角部に向けて漸次肉厚が薄くなっている（図１参照）。ストッパ部材４の一方の斜面４ａは頂部４２から底部４１方向の過半に至るまでが側方へ一定量突出させられて接触凸部４２１となっている。ストッパ部材４は取付穴４１１内に挿入したビス４３（図１）を、裏面凹所１２１に突出形成された筒状取付座１２２内に捩じ込んで固定されている。この状態で、ストッパ部材４の斜面４ｃと底面４ｂが裏面凹所１２１の内壁に近接ないし接触するとともに、接触凸部４２１の斜面４ａはハンドルベース２の開口縁外周２１（図１）に小間隙で近接している。
【００１３】
遊技球の打ち出し速度を変更する場合には、指掛け部１２〜１４に親指、薬指等の所定の指をかけてハンドルリング１を図略のバネ部材のバネ付勢力に抗して図２の反時計方向へ回転させる。これにより、ハンドルベース２内に設置された図略の可変抵抗器がハンドルリング１と連動して回転して、打ち出し速度信号が変化させられる。この場合、ストッパ部材４の接触凸部４２１の斜面４ａはハンドルベース２の開口縁外周２１には接触していないから、ハンドルリング１はバネ付勢力によって容易に原位置へ戻される。したがって、ハンドルリング１を所定の回転角度に保持しておくためには、遊技者は上記バネ付勢力に抗してハンドルリング１を手で保持する必要がある。
【００１４】
ハンドルリング１を手で保持することなく適当な回転位置でこれを自己保持させておきたい場合には、図４、図５に示すように、ストッパ部材４の頂部４２に対してハンドルベース２と反対側に位置する斜面４ｃのうち頂部４２から中央部に至る部分と裏面凹所１２１の内壁との間に押圧部材としてのコイン５を挿入する。これにより、挿入されたコイン５の厚みでストッパ部材４の頂部４２がハンドルベース２の方向へ湾曲変形させられるとともに、接触凸部４２１が圧縮変形状態となって斜面４ａがハンドルベース２の開口縁外周２１（図４）に所定圧で接触させられる。これにより、ハンドルリング１に設けたストッパ部材４とこれが接触するハンドルベース２との間に接触抵抗が生じ、この接触抵抗によって、バネ付勢力による戻し回転力が減殺されて、遊技者がバネ付勢力に抗して保持しなくてもハンドルリング１は所定回転位置で自己保持状態となる。
【００１５】
上記実施形態ではストッパ部材をハンドルリングに設けてこれをハンドルベースに接触させるようにしたが、ハンドルカバーに接触させる構造としてもよく、また、ストッパ部材をハンドルベースないしハンドルカバーに設けてハンドルリングに接触させるようにしても良い。ストッパ部材はゴム体である必要はなく、例えば湾曲変形可能な樹脂材としても良く、さらには、必ずしも弾性材である必要はない。上記実施形態では、ストッパ部材と裏面凹所の内壁との間に押圧部材としてのコインを挿入したが、ゴム体で構成したストッパ部材に例えばスリット状の溝を形成し、当該溝内にコインを挿入することによってストッパ部材を変形接触させるようにしても良い。また、ゴム体で構成したストッパ部材に遊技球の径よりもやや小さい円形の凹所を形成して、当該凹所内に押圧部材として遊技球を押し込んでストッパ部材を変形接触させるようにしても良い。
【００１６】
【発明の効果】
以上のように、本発明の遊技球発射装置のハンドル構造によれば、押圧部材を挿入してストッパ部材を接触させることによって、ハンドルリングの回転不良や傷つきを生じることなく、遊技者が手を離しても確実な自己保持動作を実現することができる。
【図面の簡単な説明】
【図１】本発明の一実施形態を示す遊技球発射装置のハンドルの一部断面側面図である。
【図２】遊技球発射装置のハンドルの一部断面裏面図で、断面部は図１のＩＩ−ＩＩ線に沿うものである。
【図３】ストッパ部材の側面図である。
【図４】自己保持状態の遊技球発射装置のハンドルの一部断面側面図である。
【図５】自己保持状態の遊技球発射装置のハンドルの一部断面裏面図で、断面部は図４のＶ−Ｖ線に沿うものである。
【符号の説明】
１…ハンドルリング、１２…指掛け用凸部、１２１…裏面凹所、２…ハンドルベース、３…ハンドルカバー、４…ストッパ部材、４２…頂部、５…コイン。
【図１】
2004248939.tif 000003
【図２】
2004248939.tif 000004
【図３】
2004248939.tif 000005
【図４】
2004248939.tif 000006
【図５】
2004248939.tif 000007